(57)【要約】      （修正有）【課題】家族が電子デバイスを同時に操作することができるテーブル及び該テーブルを使用した家具を提供する。【解決手段】テーブル１００には、電子デバイス３０及び電子デバイスを制御するための入力デバイス５０が設置されている。テーブルは、本体を備え、本体の内部には、収容部１４、複数の操作ボックス及び複数のチャネルが形成されている。収容部は、電子デバイスを収容し、複数の操作ボックスには、それぞれ入力デバイスが設置される。収容部及び操作ボックスは、対応するチャネルを介して連通され、これにより、入力デバイスは、対応するチャネルを介して電子デバイスと通信する。【選択図】図２
0003193903.tif 000002
【実用新案登録請求の範囲】
【請求項１】
電子デバイス及び前記電子デバイスを制御するための入力デバイスが設置されたテーブルにおいて、前記テーブルは、本体を備え、前記本体の内部には、収容部、複数の操作ボックス及び複数のチャネルが形成され、前記収容部は、前記電子デバイスを収容し、複数の操作ボックスには、それぞれ前記入力デバイスが設置され、前記収容部及び前記操作ボックスは、対応するチャネルを介して連通され、これにより、前記入力デバイスは、前記対応するチャネルを介して前記電子デバイスと通信することを特徴とするテーブル。
【請求項２】
前記操作ボックスは、前記本体内部に向けて窪んだキャビティ及び前記本体に回転自在に枢着されたカバーを備え、前記カバーは、前記キャビティを閉じる又は開くようにキャビティに対して回転することができ、前記カバーは、第一表面及び該第一表面の反対側に位置する第二表面を備え、前記キャビティを閉じる際、前記第二表面は、前記キャビティに対向し、前記第一表面は、前記本体の頂面と同一平面上に位置し、前記キャビティを開く際、前記第一表面は、前記本体の頂面に接触されることを特徴とする請求項１に記載のテーブル。
【請求項３】
テーブル、前記テーブルに設置された電子デバイス及び前記電子デバイスを制御するための入力デバイスを備える家具において、前記テーブルは、本体を備え、前記本体の内部には、収容部、複数の操作ボックス及び複数のチャネルが形成され、前記収容部は、前記電子デバイスを収容し、複数の操作ボックスには、それぞれ前記入力デバイスが設置され、前記収容部及び前記操作ボックスは、対応するチャネルを介して連通され、これにより、前記入力デバイスは、前記対応するチャネルを介して前記電子デバイスと通信することを特徴とする家具。
【請求項４】
前記家具は、さらに、前記テーブルの本体の頂面に回転自在に枢着されたディスプレイを備え、前記ディスプレイを使用しない場合、前記ディスプレイを前記本体の頂面に接触させるよう前記ディスプレイを回転させ、前記ディスプレイを使用する場合、前記ディスプレイを開くよう前記ディスプレイを回転させることを特徴とする請求項３に記載の家具。
【考案の詳細な説明】
【技術分野】
【０００１】
本考案は、家具に関し、特にテーブルに関するものである。
【背景技術】
【０００２】
技術の発展に伴い、コンピュータ、タブレットＰＣ、スマートフォンは、現代の生活において必要不可欠な物になってきている。多くの家庭が、客間のスペースを占有しないように、コンピュータを、書斎或いは寝室に設置している。従って、コンピュータを使用する場合、わざわざ書斎或いは自分の寝室に入らなければならず、しかも家族間の交流を減らす。タブレットＰＣ、スマートフォンは、スペースの占有及び家族間の交流問題を解決することができるが、タブレットＰＣ及びスマートフォンの体積は小さいため、家族皆で、一つのタブレットＰＣ或いはスマートフォンを見ることは困難である。
【考案の概要】
【考案が解決しようとする課題】
【０００３】
以上の問題点に鑑みて、本考案は、家族が電子デバイスを同時に操作することができるテーブル及び該テーブルを使用した家具を提供することを目的とする。
【課題を解決するための手段】
【０００４】
本考案のテーブルには、電子デバイス及び電子デバイスを制御するための入力デバイスが設置されている。テーブルは、本体を備え、本体の内部には、収容部、複数の操作ボックス及び複数のチャネルが形成されている。収容部は、電子デバイスを収容し、複数の操作ボックスには、それぞれ入力デバイスが設置される。収容部及び操作ボックスは、対応するチャネルを介して連通され、これにより、入力デバイスは、対応するチャネルを介して電子デバイスと通信する。
【０００５】
本考案の家具は、テーブル、テーブルに設置された電子デバイス及び電子デバイスを制御するための入力デバイスを備える。テーブルは、本体を備え、本体の内部には、収容部、複数の操作ボックス及び複数のチャネルが形成されている。収容部は、前記電子デバイスを収容し、複数の操作ボックスには、それぞれ入力デバイスが設置される。収容部及び操作ボックスは、対応するチャネルを介して連通され、これにより、入力デバイスは、対応するチャネルを介して電子デバイスと通信する。
【考案の効果】
【０００６】
本考案に係るテーブル及び家具において、テーブルの本体には、電子デバイス及び該電子デバイスを制御するための複数の入力デバイスが設置されているので、複数のユーザは同時に電子デバイスを操作することができる。また、入力デバイス及び電子デバイス等の部品をテーブルの本体内に収容することができるので、家具を食卓として使用することもできる。即ち、本発明の家具は、家族間の交流及び娯楽のプラットフォームとして使用できる一方、食卓としても使用することができ且つスペースを節約することができるため、家庭での使用に適している。
【図面の簡単な説明】
【０００７】
【図１】本考案の実施例に係る家具の立体斜視図である。
【図２】図１に示した家具の使用状態を示す図である。
【考案を実施するための形態】
【０００８】
以下、図面に基づいて、本考案に係るテーブルについて詳細に説明する。
【０００９】
図１及び図２を参照すると、本考案の実施形態に係る家具９９は、テーブル１００、電子デバイス３０、ディスプレイ４０、複数の入力デバイス５０、電源部品６０、複数のデータケーブル７０及び電源ケーブル８０を備える。本実施形態において、テーブル１００は、食卓である。テーブル１００は、本体１０及び本体１０を支持するための脚部２０を備える。
【００１０】
電子デバイス３０は、本体１０の内部に設置され、入力デバイス５０は、本体１０の内部に設置される。ディスプレイ４０は、本体１０上に回転自在に枢着される。データケーブル７０は、電子デバイス３０をディスプレイ４０及び電源部品６０に接続する。電源ケーブル８０は、電子デバイス３０及びディスプレイ４０をそれぞれ電源部品６０に接続する。本実施形態において、電源部品６０は、電源アダプタである。電源ケーブル８０は、さらに、電源部品６０を外部電源に接続するために用いられる。電子デバイス３０は、ゲーム機３１、ＣＤプレイヤー３２及びホストコンピュータ３３を備える。入力デバイス５０は、ホストコンピュータ３３、ＣＤプレイヤー３２及びゲーム機３１を制御するためのキーボード５１、リモコン５２、マウス５３及びジョイスティック５４を備える。
【００１１】
本体１０は、平面視で矩形の直方体状を呈し、頂面１１と、底面１２と、頂面１１及び底面１２を連接する第一側壁１３ａ、第二側壁１３ｂ、第三側壁１３ｃ及び第四側壁１３ｄと、を備える。頂面１１、底面１２、第一側壁１３ａ、第二側壁１３ｂ、第三側壁１３ｃ及び第四側壁１３ｄは共に収容空間を形成する。第二側壁１３ｂには、開口１３０が設けられている。他の実施形態において、本体１０は、平面視で円形或いは楕円形等の形状であっても良い。
【００１２】
本体１０の内部には、収容部１４、複数の操作ボックス１５、電源ボックス１６及び複数の第一チャネル１７が形成されている。収容部１４は、第一収容部１４０、第二収容部１４２及び第三収容部１４４を備える。ゲーム機３１、ＣＤプレイヤー３２及びホストコンピュータ３３は、それぞれ第一収容部１４０、第二収容部１４２及び第三収容部１４４に収容される。
【００１３】
第二収容部１４２は、第二側壁１３ｂ（即ち、本体１０の左側）に隣接し且つ開口１３０と連通する。これにより、ＣＤプレイヤー３２のＣＤトレー（図示せず）は、開口１３０から出入りすることができる。
【００１４】
第一収容部１４０は、対応する第一チャネル１７を介して第三収容部１４４に連通され、第二収容部１４２は、対応する第一チャネル１７を介して第三収容部１４４に連通される。これにより、ゲーム機３１及びホストコンピュータ３３は、対応する第一チャネル１７を通るデータケーブル７０を介して、ＣＤプレイヤー３２に接続される。第一収容部１４０及び第三収容部１４４は、さらに、対応する第一チャネル１７を介して本体１０の外部と連通される。これにより、ゲーム機３１及びホストコンピュータ３３は、データケーブル７０を介してディスプレイ４０に接続されることができる。
【００１５】
複数の操作ボックス１５は、本体１０の第一側壁１３ａ（即ち、本体１０の前側）に隣接し且つ互いに間隔をあけて本体１０上に設けられている。他の実施形態において、複数の操作ボックス１５は、それぞれ本体１０の異なる側壁に隣接しても良い。本実施形態において、操作ボックス１５の数量は、４つであり、４つの操作ボックス１５は、それぞれ２つのジョイスティック５４の一方と、２つのジョイスティック５４の他方と、キーボード５１及びマウス５３と、リモコン５２と、を収容する。
【００１６】
複数の操作ボックス１５は、それぞれ対応する第一チャネル１７を介して収容部１４に連通される。これにより、入力デバイス５０は、第一チャネル１７を通るデータケーブル７０を介して、電子デバイス３０に接続され、これにより、電子デバイス３０を制御することができる。具体的には、キーボード５１及びマウス５３は、ホストコンピュータ３３を制御するよう対応するデータケーブル７０を介して、それぞれホストコンピュータ３３に接続され、ジョイスティック５４は、ゲーム機３１を制御するよう対応するデータケーブル７０を介してゲーム機３１に接続される。
【００１７】
本実施形態において、操作ボックス１５は、本体１０の内部に向けて窪んだキャビティ１５０及び本体１０に回転自在に枢着されたカバー１５２を備える。キャビティ１５０は、対応する入力デバイス５０を収容し、カバー１５２は、キャビティ１５０を閉じる又は開くようにキャビティ１５０に対して回転することができる。カバー１５２は、薄板状を呈し、その材料は本体１０の材料と同じである。カバー１５２の一端は、本体１０に回転自在に枢着され、カバー１５２がキャビティ１５０を覆う際、カバー１５２の他端は、本体１０の第一側壁１３ａの上端に位置する。カバー１５２は、第一表面１５２０及び該第一表面１５２０の反対側に位置する第二表面１５２２を備える。キャビティ１５０を閉じる際、第一表面１５２０は、本体１０の頂面１１と同一平面上に位置し、第二表面１５２２は、キャビティ１５０と対向する。キャビティ１５０を開く場合、第一表面１５２０は、本体１０の頂面１１に接触する。
【００１８】
他の実施形態において、カバー１５２は、本体１０上に着脱可能に装着される。キャビティ１５０を閉じる際、カバー１５２をキャビティ１５０上に覆わせ、キャビティ１５０を開く際、カバー１５２を本体１０上から取り外す。また、カバー１５２は、さらに本体１０上に摺動可能に取り付けることができる。キャビティ１５０を閉じる際、カバー１５２をキャビティ１５０上に覆わせ、キャビティ１５０を開く際、カバー１５２を本体１０内にスライドさせる。これにより、キャビティ１５０を露出させる。さらに、操作ボックス１５は、引き出し式であっても良い。入力デバイス５０を使用する場合、操作ボックス１５を本体１０から引き出し、入力デバイス５０を使用しない場合、操作ボックス１５を本体１０内に押し込む。
【００１９】
電源ボックス１６は、電源部品６０を収容するために用いられる。電源ボックス１６は、対応する第一チャネル１７を介して第一収容部１４０、第二収容部１４２、第三収容部１４４及び本体１０の外部に連通される。これにより、電源部品６０は、第一チャネル１７を通る電源ケーブル８０を介して、電子デバイス３０及びディスプレイ４０に電力を供給することができる。
【００２０】
ディスプレイ４０は、本体１０の第三側壁１３ｃに隣接し且つ本体１０の頂面１１に回転自在に枢着される。ディスプレイ４０は、ゲーム機３１及びホストコンピュータ３３にそれぞれ接続される。ディスプレイ４０は、ハウジング４１及びハウジング４１内に固定された表示スクリーン４２を備える。ディスプレイ４０を使用しない場合、ディスプレイ４０を本体１０の頂面１１に接触させるよう回転させる。ディスプレイ４０を使用する場合、ディスプレイ４０を回転させて、ディスプレイ４０を開く。本実施形態において、ディスプレイ４０は、ゲーム機３１及びホストコンピュータ３３からの映像情報を同時に表示することができる。
【００２１】
本実施形態において、テーブル１００の脚部２０の数量は、４つであり、そのうちの２つの脚部２０の内部には、電源ボックス１６に連通する第二チャネル２１が設けられている。これにより、電源部品６０は、第二チャネル２１を通る電源ケーブル８０を介して、外部の電源に接続される。移動させる際に起こる摩損を防止するために、テーブル１００の脚部２０の底部には、椅子脚カバーを設置しても良い。
【００２２】
本実施形態において、入力デバイス５０は、データケーブル７０を介して電子デバイス３０と通信する。他の実施形態において、電子デバイス３０及び入力デバイス５０は、赤外線、ブルートゥース（登録商標）等の無線通信技術を介して通信しても良い。
【００２３】
家具９９を娯楽に使用する場合、ディスプレイ４０及び操作ボックス１５のカバー１５２を開き、複数のユーザは、異なる入力デバイス５０を同時に操作することができる。これにより、電子デバイス３０を同時に制御することができる。家具９９を食卓として使用する場合は、ディスプレイ４０及び操作ボックス１５を閉じる。
【００２４】
本発明に係る家具９９において、テーブル１００の本体１０には、電子デバイス３０及び該電子デバイス３０を制御するための複数の入力デバイス５０が設置されているので、複数のユーザは同時に電子デバイス３０を操作することができる。また、入力デバイス５０及び電子デバイス３０等の部品をテーブル１００の本体１０内に収容することができるので、家具９９を食卓として使用することもできる。即ち、本考案の家具９９は、家族間の交流及び娯楽のプラットフォームとして使用できる一方、食卓としても使用することができ且つスペースを節約することができるため、家庭での使用に適している。
【符号の説明】
【００２５】
９９  家具
１００  テーブル
１０  本体
２０  脚部
３０  電子デバイス
４０  ディスプレイ
４１  ハウジング
４２  表示スクリーン
５０  入力デバイス
６０  電源部品
７０  データケーブル
８０  電源ケーブル
３１  ゲーム機
３２  ＣＤプレイヤー
３３  ホストコンピュータ
５１  キーボード
５２  リモコン
５３  マウス
５４  ジョイスティック
１４  収容部
１５  操作ボックス
１６  電源ボックス
１７  第一チャネル
１１  頂面
１２  底面
１３ａ  第一側壁
１３ｂ  第二側壁
１３ｃ  第三側壁
１３ｄ  第四側壁
１３０  開口
１４０  第一収容部
１４２  第二収容部
１４４  第三収容部
１５０  キャビティ
１５２  カバー
１５２０  第一表面
１５２２  第二表面
２１  第二チャネル
【図１】
0003193903.tif 000003
【図２】
0003193903.tif 000004